(57)【要約】【課題】着用中、吸収性物品と肌との間に隙間が生じ難く、フィット性が更に向上し、体液が肌を伝って流れ難く、防漏性が更に向上する吸収性物品を提供すること。【解決手段】吸収性物品１は吸収性コア４１を有する。吸収性コア４１は、横方向Ｙに中央コア領域ＣＴ及び側方コア領域ＳＴ，ＳＴに区分され、中央コア領域ＣＴにおける排泄部対向部Ｂの肌対向面側に、側方コア領域ＳＴの肌対向面ＳＴ1よりも肌側に突出する中高部４３を有する。吸収性コア４１は、中央コア領域ＣＴの非肌対向面側に、縦中心線ＣＬと重なる位置に配され、且つ縦方向Ｘに沿って延びる非肌側縦溝部５を有する。非肌側縦溝部５が配された部分の坪量は、各側方コア領域ＳＴの坪量ＳＴｗに比して吸収性コア４１の形成材料の坪量を減らして形成されている。【選択図】図２
2018023475.tif 000002
【特許請求の範囲】
【請求項１】
着用者の前後方向に対応する縦方向と該縦方向に直交する横方向を備え、縦方向に長い吸収性コアを有し、着用者の液排泄部に対向配置される排泄部対向部を有する吸収性物品であって、
前記吸収性コアは、横方向の中央部に位置する中央コア領域及び該中央コア領域から横方向両外方に位置する側方コア領域に区分され、
該中央コア領域における前記排泄部対向部の肌対向面側に、該側方コア領域の肌対向面よりも肌側に突出する中高部を有しており、
前記中央コア領域の非肌対向面側に、吸収性物品の横方向中心を通る縦方向に延びる仮想二等分線と重なる位置に配され、且つ縦方向に沿って延びる非肌側縦溝部を有しており、
前記非肌側縦溝部が配された部分の坪量は、該非肌側縦溝部の横方向隣接部に比して前記吸収性コアの形成材料の坪量を減らして形成されている吸収性物品。
【請求項２】
前記非肌側縦溝部は、その深さが、前記側方コア領域の厚みよりも大きく形成されている請求項１に記載の吸収性物品。
【請求項３】
前記非肌側縦溝部は、その縦方向の長さが、前記中高部の縦方向の長さよりも長く形成されている請求項１又は２に記載の吸収性物品。
【請求項４】
前記非肌側縦溝部は、断面視した際の横方向の長さに関し、前記吸収性コアの前記中央コア領域の非肌側の長さが、該中央コア領域の肌対向面側の長さよりも長い請求項１〜３の何れか１項に記載の吸収性物品。
【請求項５】
前記吸収性コアは、肌対向面側に、幅方向において、前記中高部を挟む位置において縦方向に延びる一対の肌側縦溝部を有している請求項１〜４の何れか１項に記載の吸収性物品。
【請求項６】
前記非肌側縦溝部の縦方向の全長が、前記肌側縦溝部の縦方向の全長よりも長い請求項５に記載の吸収性物品。
【請求項７】
前記非肌側縦溝部は、前記吸収性コアの縦方向の全長に亘って配されている請求項１〜６の何れか１項に記載の吸収性物品。
【請求項８】
前記吸収性コアは、前記中高部を有する前記中央コア領域と各前記側方コア領域とが一体に形成されている請求項１〜７の何れか１項に記載の吸収性物品。
【発明の詳細な説明】
【技術分野】
【０００１】
本発明は、吸収性物品に関する。
【背景技術】
【０００２】
本出願人は、先に、吸収体の幅方向中央部における裏面シート側の面に凹部を有し、該凹部が吸収体の構成材料の坪量を他の部分より減らして形成されている吸収性物品を提案した（特許文献１）。また、本出願人は、吸収性コアの幅方向中央域に肌対向面側から突出した突出部を有し、吸収性コアの中央域の非肌当接面に縦溝が該縦溝の左右両側の隣接部分に比して吸収性コアの形成材料の坪量を減らして形成されている吸収性物品を提案した（特許文献２）。
【０００３】
特許文献１に記載の吸収性物品によれば、着用時に、吸収体の凹部によって、吸収体が着用者の肌に向かって曲面状に突出した形状に変形し易く、フィット性及び防漏性が向上する。また、特許文献２に記載の吸収性物品によれば、着用時に、吸収体の縦溝によって、突出部を有する吸収体が着用者の肌に向かって曲面状に突出した形状に変形し易く、フィット性が更に向上しつつ、防漏性が向上する。
【先行技術文献】
【特許文献】
【０００４】
【特許文献１】特開２００６−１１５９９６号公報
【特許文献２】特開２０１４−１０４０９５号公報
【発明の概要】
【発明が解決しようとする課題】
【０００５】
本発明者らは、着用中の一般的な吸収性物品における吸収体が両脚で幅方向に押され、吸収体の幅方向中央部が凹状に変形し易く、吸収性物品と肌との間に隙間が生じ、体液が肌を伝って流れ易く、漏れの原因になることを見出した。このような漏れに対し、特許文献１に記載の吸収性物品を着用すれば、着用時に吸収体の裏面シート側の面の凹部を有する部分においては、着用者の肌に向かって曲面状に突出した形状に変形するので、横漏れは防止できるものの、凹部を有していないその前後方向では、変形が誘引され難いため、排泄部の前後では、着用者の身体との隙間が発生しやすく、特許文献１に記載の吸収性物品には、改善の余地があった。
【０００６】
また、特許文献２に記載の吸収性物品は、長手方向に沿う複数の縦溝を有するため、幅方向の可撓性に優れているが、特許文献２には、吸収性コアの幅方向中央域の突出部を、着用時に更に肌に向かって突出させる為の縦溝の位置に関して、具体的に記載されていない。
【０００７】
したがって本発明の課題は、前述した従来技術が有する欠点を解消し得る吸収性物品を提供することにある。
【課題を解決するための手段】
【０００８】
本発明は、着用者の前後方向に対応する縦方向と該縦方向に直交する横方向を備え、縦方向に長い吸収性コアを有し、着用者の液排泄部に対向配置される排泄部対向部を有する吸収性物品であって、前記吸収性コアは、横方向の中央部に位置する中央コア領域及び該中央コア領域から横方向両外方に位置する側方コア領域に区分され、該中央コア領域における前記排泄部対向部の肌対向面側に、該側方コア領域の肌対向面よりも肌側に突出する中高部を有しており、前記中央コア領域の非肌対向面側に、吸収性物品の横方向中心を通る縦方向に延びる仮想二等分線と重なる位置に配され、且つ縦方向に沿って延びる非肌側縦溝部を有しており、前記中央コア領域における前記非肌側縦溝部は、該非肌側縦溝部の横方向隣接部に比して前記吸収性コアの形成材料の坪量を減らして形成されている吸収性物品を提供するものである。
【発明の効果】
【０００９】
本発明の吸収性物品によれば、着用中、吸収性物品と肌との間に隙間が生じ難く、フィット性が更に向上し、体液が肌を伝って流れ難く、防漏性が更に向上する。
【図面の簡単な説明】
【００１０】
【図１】図１は、本発明の経血吸収用の吸収性物品の好ましい一実施形態である生理用ナプキンを肌対向面側から視た平面図である。
【図２】図２は、図１のＩＩ−ＩＩ線断面を模式的に示す断面図である。
【図３】図３は、図２に示す生理用ナプキンの吸収体を構成する吸収性コア及びコアラップシートを示す拡大断面図である。
【図４】図４（ａ）及び（ｂ）は、図１に示す生理用ナプキンの吸収性コアの製造に好ましく使用される積繊ドラムの周方向に沿う断面を示す模式図であり、図４（ａ）は集積用凹部に吸収性コアの形成材料が堆積する前の状態、図４（ｂ）は集積用凹部に吸収性コアの形成材料が堆積した状態を示す図である。
【図５】図５は、図１に示す生理用ナプキンを着用した状態を模式的に示す断面図である。
【図６】図６は、本発明の吸収性物品の他の実施形態の生理用ナプキンの備える吸収体を模式的に示す断面図である（図３相当図）。
【図７】図７は、比較例の生理用ナプキンの備える吸収体を模式的に示す断面図である（図３相当図）。
【発明を実施するための形態】
【００１１】
以下、本発明の吸収性物品を、その好ましい一実施形態である生理用ナプキン１（以下、「ナプキン１」とも言う。）に基づき図面を参照して説明する。ナプキン１は、着用者の前後方向に対応する縦方向Ｘと縦方向Ｘに直交する横方向Ｙを備え、縦方向Ｘに長い吸収性コア４１を有し、着用者の膣口等の液排泄部に対向配置される排泄部対向部Ｂを有している。図１には、ナプキン１を肌対向面側から見た平面図が示されており、図２には、ナプキン１の断面図が示されている。また、図３には、ナプキン１の備える吸収体４の断面図が示されている。
【００１２】
本実施形態では、ナプキン１は、図１及び図２に示すように、肌対向面を形成する液透過性の表面シート２、非肌対向面を形成する裏面シート３、及びこれら両シート２，３間に介在され、吸収性コア４１を備える吸収体４を具備する吸収性本体１０を有している。吸収体４は、パルプ繊維を含む吸収性コア４１と、吸収性コア４１の肌対向面及び非肌対向面を被覆するコアラップシート４２とを有している。
【００１３】
ナプキン１の吸収性本体１０は、図１に示すように、着用時に着用者の膣口等の液排泄部に対向配置される排泄スポット部Ｐを有する排泄部対向部Ｂと、該排泄部対向部Ｂよりも着用者の腹側（前側）寄りに配される前方部Ａと、該排泄部対向部Ｂよりも着用者の背側（後側）寄りに配される後方部Ｃとを有しており、前後方向に長い形状となっている。ナプキン１及び吸収性本体１０は、着用者の前後方向に対応する縦方向Ｘと、該縦方向Ｘに直交する横方向Ｙと、厚み方向Ｚとを有する。即ち、吸収性本体１０は、前後方向である縦方向Ｘに、前方部Ａ、排泄部対向部Ｂ及び後方部Ｃの順番で区分される。
排泄スポット部Ｐとは、ナプキン１等の吸収性物品の着用時に、着用者の液排泄部に対向配置され、経血が直接的に供給される部位であり、通常、前述した排泄部対向部Ｂの縦方向Ｘ及び幅方向Ｙの中央部に位置している。本実施形態のナプキン１で排泄スポット部Ｐは、ナプキン１を幅方向に等分する縦方向Ｘに延びる中央線に沿った長軸４ｃｍ、横方向Ｙに沿った短軸３ｃｍを有する楕円形状となっている。また、排泄スポット部Ｐは、後述の着用者の肌側に突出する隆起部１１とほぼ同一の位置となっている。
【００１４】
また、本明細書において、肌対向面は、ナプキン１又はその構成部材（例えば表面シート２）における、ナプキン１の着用時に着用者の肌側に向けられる面であり、非肌対向面は、ナプキン１又はその構成部材における、ナプキン１の着用時に肌側とは反対側（着衣側）に向けられる面である。また、縦方向Ｘは、ナプキン１及び吸収性本体１０の長手方向に一致し、横方向Ｙは、ナプキン１及び吸収性本体１０の幅方向（長手方向に直交する方向）に一致する。
【００１５】
本実施形態では、ナプキン１は、図１及び図２に示すように、吸収性本体１０に加えて更に、吸収性本体１０における排泄部対向部Ｂの縦方向Ｘに沿う両側部それぞれから横方向Ｙの外方に延出する一対のウイング部１０Ｗ，１０Ｗを有し、吸収性本体１０における後方部Ｃの縦方向Ｘに沿う両側部それぞれから横方向Ｙの外方に延出する一対の後方フラップ部１０Ｆ，１０Ｆを有している。
【００１６】
尚、本発明の吸収性物品において、排泄部対向部Ｂとは、本実施形態のナプキン１のようにウイング部１０Ｗを有する場合には、ナプキン１の縦方向Ｘにおける、一対の左右両側にウイング部１０Ｗを有する領域であり、より詳細には、一方のウイング部１０Ｗの縦方向Ｘに沿う付け根と他方のウイング部１０Ｗの縦方向Ｘに沿う付け根とに挟まれた領域を意味する。また、ウイング部を有しない吸収性物品の場合には、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域を意味する。
【００１７】
本実施形態のナプキン１では、表面シート２は、図１及び図２に示すように、吸収体４の肌対向面の全域を被覆している。一方、裏面シート３は、吸収体４の非肌対向面の全域を被覆し、更に表面シート２の縦方向Ｘに沿う両側縁から横方向Ｙの外方に延出して、後述する防漏カフ形成用シート７と共にサイドフラップ部１０Ｓを形成している。表面シート２の肌対向面に固定された防漏カフ形成用シート７と裏面シート３とは、吸収体４の縦方向Ｘの両端縁からの延出部分において、接着剤、ヒートシール、超音波シール等の公知の接合手段によって互いに接合されている。尚、表面シート２及び裏面シート３それぞれと吸収体４との間は接着剤によって接合されていてもよい。
【００１８】
ナプキン１では、防漏カフ形成用シート７は、図１及び図２に示すように、吸収性本体１０の肌対向面に配された表面シート２の肌対向面における縦方向Ｘに沿う両側部に配され固定されている。好適には、防漏カフ形成用シート７は、平面視において吸収体４の縦方向Ｘに沿う左右両側部に重なるように、吸収性本体１０の縦方向Ｘの全長に亘って配され固定されている。防漏カフ形成用シート７は、例えば、自由端部側を折り返し、折り返して形成された折り返し部分の内部に防漏カフ形成用弾性部材を配してもよい。このように防漏カフ形成用弾性部材を配すると、防漏カフ形成用弾性部材の収縮力により、折り返し部分が着用者の肌側に向かって起立する、防漏カフが形成されるようになる。このように防漏カフが形成されると、肌対向面に排泄された経血の横漏れを防止することができる。
【００１９】
ナプキン１では、サイドフラップ部１０Ｓは、図１に示すように、排泄部対向部Ｂにおいて横方向Ｙの外方に向かって大きく張り出しており、これにより吸収性本体１０の縦方向Ｘに沿う左右両側に、一対のウイング部１０Ｗ，１０Ｗが延設されている。また、サイドフラップ部１０Ｓは、図１に示すように、後方部Ｃにおいて横方向Ｙの外方に向かって大きく張り出しており、これにより吸収性本体１０の縦方向Ｘに沿う左右両側に、一対の後方フラップ部１０Ｆ，１０Ｆが延設されている。
【００２０】
ウイング部１０Ｗは、ショーツ等の着衣のクロッチ部の非肌対向面側に折り返されて用いられるものである。ナプキン１では、ウイング部１０Ｗは、図１に示すように、平面視において、下底（上底よりも長い辺）が、吸収性本体１０の縦方向Ｘに沿う側部側に位置する略台形形状を有している。ウイング部１０Ｗの非肌対向面には、該ウイング部１０Ｗ（ナプキン１）をショーツ等の着衣（図示せず）に固定するウイング部粘着部（図示せず）が形成されており、このウイング部粘着部によって、使用時に、着衣のクロッチ部の非肌対向面（外面）側に折り返されたウイング部１０Ｗを、該クロッチ部に粘着固定できるようになされている。また、吸収性本体１０の非肌対向面にも、吸収性本体１０を、ショーツ等の着衣に固定するための本体粘着部（図示せず）が形成されている。
【００２１】
後方フラップ部１０Ｆは、着用時にショーツ等の着衣の肌対向面側に配されるものである。後方フラップ部１０Ｆの非肌対向面には、該後方フラップ部１０Ｆをショーツ等の着衣（図示せず）に固定する後方フラップ部粘着部（図示せず）が形成されており、この後方フラップ部粘着部によって、使用時に、着衣の肌対向面（内面）上に後方フラップ部１０Ｆが粘着固定できるようになされている。
【００２２】
吸収性コア４１は、パルプ繊維を含む繊維材料からなる繊維集合体から形成されている。吸収性コア４１は、コアラップシート４２によって被覆されており、ナプキン１では、肌対向面及び非肌対向面の両面を、コアラップシート４２によって被覆されている。ナプキン１では、図２に示すように、１枚のコアラップシート４２を用いて吸収性コア４１の全体を被覆している。１枚のコアラップシート４２は、吸収性コア４１の縦方向Ｘの長さと同じ長さを有し、吸収性コア４１の横方向Ｙの長さの２倍以上の長さを有している。そして、１枚のコアラップシート４２の横方向Ｙの中央部を、吸収性コア４１の肌対向面上に重ね、１枚のコアラップシート４２の横方向Ｙの両端部分を吸収性コア４１の非肌対向面側に折り返し、折り返した両端縁部分を重ね合わせる。このようにして、吸収性コア４１の肌対向面及び非肌対向面の両面が、１枚のコアラップシート４２で被覆されている。コアラップシート４２は、吸収性コア４１の形成材料の漏れ出しを防止したり、吸収性コア４１の保形性を高めたりする目的で使用される。表面シート２と、吸収性コア４１の肌対向面側を被覆するコアラップシート４２との間、及び裏面シート３と吸収性コア４１の非肌対向面側を被覆するコアラップシート４２との間は、ドット、スパイラル、ストライプ等のパターン塗工された接着剤により互いに接合されていることが好ましい。
【００２３】
吸収性コア４１には吸水性ポリマーが含有されていてもよい。吸収性コア４１の有する高吸収性ポリマーとしては、一般に粒子状のものが用いられるが、繊維状のものでもよい。粒子状の高吸収性ポリマーを用いる場合、その形状は球状、塊状、俵状又は不定形のいずれでもよい。高吸収性ポリマーとしては、一般に、アクリル酸又はアクリル酸アルカリ金属塩の重合物又は共重合物を用いることができる。その例としては、ポリアクリル酸及びその塩並びにポリメタクリル酸及びその塩が挙げられる。ポリアクリル酸塩やポリメタクリル酸塩としては、ナトリウム塩を好ましく用いることができる。また、アクリル酸又はメタクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合物も用いることができる。
【００２４】
吸収性コア４１は、図１〜図３に示すように、横方向Ｙの中央部に位置する中央コア領域ＣＴ及び中央コア領域ＣＴから横方向Ｙ両外方に位置する側方コア領域ＳＴ，ＳＴに区分されている。ここで、ナプキン１において、中央コア領域ＣＴとは、吸収性コア４１を横方向Ｙに略三等分した際の中央領域のことであり、両側方コア領域ＳＴ，ＳＴとは、吸収性コア４１を横方向Ｙに略三等分した際の中央領域を除く両側方領域のことを意味する。中央コア領域ＣＴ及び各側方コア領域ＳＴは、図１に示すように、吸収性コア４１の縦方向Ｘの全長に亘って延びている。
【００２５】
吸収性コア４１は、図１〜図３に示すように、中央コア領域ＣＴにおける排泄部対向部Ｂの肌対向面側に、側方コア領域ＳＴの肌対向面ＳＴ１（図３参照）よりも肌側に突出する中高部４３を有している。吸収性コア４１が肌対向面側に中高部４３を有していると、ナプキン１の吸収性本体１０には、中高部４３に対応して着用者の肌側に突出する隆起部１１が形成されるようになる。ここで、側方コア領域ＳＴの肌対向面ＳＴ１は、図３に示すような縦方向Ｘ及び横方向Ｙからなる面方向に平行な無段に形成されている場合のみならず、複数段に形成されている場合も含んでおり、側方コア領域ＳＴの肌対向面ＳＴ１が複数段に形成されている場合の肌対向面ＳＴ１とは、吸収性コア４１における最も非肌対向面側の面のことを意味する。
【００２６】
吸収性コア４１の中高部４３は、図３に示すように、側方コア領域ＳＴの肌対向面ＳＴ１から肌側に高さｔ４３を有して突出している。ここで、高さｔ４３とは、中高部４３の厚みの内で最も厚い部分の厚みのことである。中高部４３を含む中央コア領域ＣＴにおける全厚ｔ１に対する高さｔ４３の割合（（ｔ４３/ｔ１）×１００）は、好ましくは２０％以上、より好ましくは３０％以上であり、また、好ましくは９０％以下、より好ましくは８０％以下であり、具体的には、好ましくは２０％以上９０％以下であり、より好ましくは３０％以上８０％以下である。中高部４３の高さｔ４３は、中央コア領域ＣＴにおける全厚ｔ１から側方コア領域ＳＴの厚みｔ２を差し引いた値と同じである。中央コア領域ＣＴの全厚ｔ１及び側方コア領域ＳＴの厚みｔ２は、以下のように測定する。
【００２７】
〔中央コア領域ＣＴの全厚ｔ１及び側方コア領域ＳＴの厚みｔ２の測定方法〕
吸収性コア４１から、中高部４３を含む中央コア領域ＣＴの部位、及び肌対向面ＳＴ１を有する側方コア領域ＳＴの部位を切り出す。切り出した各部位の中心に、大きさ２０ｍｍ×２０ｍｍ、厚み３ｍｍのアクリルプレートの中心が一致するようにアクリルプレートを置き、ＫＥＹＥＮＣＥ社製非接触式レーザー変位計（レーザーヘッドＬＫ−Ｇ３０、変位計ＬＫ−ＧＤ５００）を用いて、各部位の厚みを測定する。なお、厚み測定時圧力は０．５ｇ／ｃｍ2とする。
【００２８】
吸収性コア４１の中高部４３は、吸収性コア４１の全幅Ｗ４１に対する中高部４３の幅Ｗ４３（図１参照）の割合（（Ｗ４３/Ｗ４１）×１００）が、好ましくは２０％以上、より好ましくは３０％以上であり、また、好ましくは８０％以下、より好ましくは７０％以下であり、具体的には、好ましくは２０％以上８０％以下であり、より好ましくは３０％以上７０％以下である。ここで、中高部４３の幅Ｗ４３とは、中高部４３を平面視して、横方向Ｙの長さが最も長い部位での長さを意味する。また、吸収性コア４１の全幅Ｗ４１とは、吸収性コア４１を平面視して、吸収性コア４１の排泄部対向部Ｂにおける横方向Ｙの長さが最も長い部位での長さを意味する。
【００２９】
ナプキン１では、図１に示すように、吸収性コア４１が前方部Ａから後方部Ｃに亘って延在する縦方向Ｘに長い形状を有し、中高部４３が吸収性コア４１の縦方向Ｘに長い形状を有している。縦方向Ｘに長い中高部４３は、ナプキン１の排泄部対向部Ｂから前方部Ａの一部に亘るとともに、排泄部対向部Ｂから後方部Ｃの一部に亘って形成されている。吸収性コア４１を平面視して、吸収性コア４１の縦方向Ｘの全長Ｌ４１に対する中高部４３の縦方向Ｘの長さＬ４３（図１参照）の割合（（Ｌ４３/Ｌ４１）×１００）は、好ましくは２０％以上、より好ましくは３０％以上であり、また、好ましくは８０％以下、より好ましくは７０％以下であり、具体的には、好ましくは２０％以上８０％以下であり、より好ましくは３０％以上７０％以下である。ここで、中高部４３の長さＬ４３とは、中高部４３を平面視して、縦方向Ｘの長さが最も長い部位での長さを意味する。また、吸収性コア４１の全長Ｌ４１とは、吸収性コア４１を平面視して、吸収性コア４１の縦方向Ｘの長さが最も長い部位での長さを意味する。
【００３０】
ナプキン１では、図１及び図２に示すように、吸収性コア４１における中央コア領域ＣＴの非肌対向面側に、ナプキン１の横方向Ｙ中心を通る縦方向Ｘに延びる仮想二等分線である縦中心線ＣＬと重なる位置に配され、且つ縦方向Ｘに沿って延びる非肌側縦溝部５を有している。非肌側縦溝部５は、縦中心線ＣＬと重なる位置に縦方向Ｘに沿って延びていれば、連続線状に形成されていてもよく、間欠的に配された非連続線状に形成されていてもよい。非肌側縦溝部５は、吸収性コア４１の非肌対向面から肌対向面側に向かって形成されていれば、吸収性コア４１を貫通していてもよいが、ナプキン１では、吸収性コア４１の非肌対向面から肌対向面側に向かって凸に窪んで形成されている。非肌側縦溝部５を吸収性コア４１の非肌対向面側から視て、非肌側縦溝部５は、吸収性コア４１の肌対向面側に有底の形状となっている。また、非肌側縦溝部５は、吸収性コア４１の縦方向Ｘの長さが、少なくとも排泄スポット部Ｐの縦方向Ｘの長さよりも長くなっていることが、排泄スポット部Ｐの縦方向Ｘ全域において、肌との間に隙間を生じ難くし、フィット性を向上させる観点より好ましい。より好ましい形態として、このような非肌側縦溝部５が、ナプキン１では、図１に示すように平面視して、縦中心線ＣＬと重なる位置に吸収性コア４１の縦方向Ｘの全長に亘って配されている。これにより、排泄スポット部Ｐの縦方向Ｘの前後部においても肌との密着性が向上し、体液が肌を伝って流れ難く、防漏性が更に向上する。
【００３１】
ナプキン１では、非肌側縦溝部５が、吸収性コア４１の中央コア領域ＣＴの非肌側に配されている。非肌側縦溝部５が配された部分の坪量は、該非肌側縦溝部の横方向隣接部に比して吸収性コア４１の形成材料の坪量を減らして形成されている。横方向隣接部は非肌側縦溝部５を除く周辺部であり、非肌側縦溝部５が配された部分の坪量は、吸収性コア４１の各側方コア領域ＳＴの坪量ＳＴｗに比して坪量を減らして形成されていることがより好ましい。側方コア領域ＳＴの坪量ＳＴｗに対する非肌側縦溝部５が配された部分の坪量５ｗの割合（（５ｗ/ＳＴｗ）×１００）は、好ましくは５％以上、より好ましくは１０％以上であり、また、好ましくは９５％以下、より好ましくは９０％以下であり、具体的には、好ましくは５％以上９５％以下であり、より好ましくは１０％以上９０％以下である。側方コア領域ＳＴの坪量ＳＴｗは、好ましくは５０ｇ／ｍ2以上、より好ましくは１００ｇ／ｍ2以上であり、また、好ましくは６００ｇ／ｍ2以下、より好ましくは５００ｇ／ｍ2以下であり、具体的には、好ましくは５０ｇ／ｍ2以上６００ｇ／ｍ2以下、より好ましくは１００ｇ／ｍ2以上５００ｇ／ｍ2以下である。また、中央コア領域ＣＴにおける非肌側縦溝部５が配された部分の坪量５ｗは、好ましくは２０ｇ／ｍ2以上、より好ましくは５０ｇ／ｍ2以上であり、また、好ましくは４００ｇ／ｍ2以下、より好ましくは３００ｇ／ｍ2以下であり、具体的には、好ましくは２０ｇ／ｍ2以上４００ｇ／ｍ2以下、より好ましくは５０ｇ／ｍ2以上３００ｇ／ｍ2以下である。また、中高部４３を有する中央コア領域ＣＴの坪量、即ち、中央コア領域ＣＴにおける非肌側縦溝部５が配された部分を除く部分の坪量は、側方コア領域ＳＴの坪量ＳＴｗよりも大きく、好ましくは１５０ｇ／ｍ2以上、より好ましくは２００ｇ／ｍ2以上であり、また、好ましくは１０００ｇ／ｍ2以下、より好ましくは９００ｇ／ｍ2以下であり、具体的には、好ましくは１５０ｇ／ｍ2以上１０００ｇ／ｍ2以下、より好ましくは２００ｇ／ｍ2以上９００ｇ／ｍ2以下である。
【００３２】
ここで、側方コア領域ＳＴの坪量ＳＴｗの坪量は、中高部４３の縦方向Ｘに沿う両側縁を通るように吸収性コア４１を切断して吸収性コア４１を３つに分け、中高部４３を含むカットサンプル以外の残りの２つのカットサンプルそれぞれの質量を、それぞれのカットサンプルの例えば肌対向面側の面の面積で除して得られた２つの値を平均して求める。また、吸収性コア４１の中央コア領域ＣＴにおける非肌側縦溝部５が配された部分の坪量５ｗは、非肌側縦溝部５の最大溝幅の位置を通るように、具体的にナプキン１では吸収性コア４１の非肌対向面における非肌側縦溝部５の最大溝幅の位置を通るように、吸収性コア４１における非肌側縦溝部５が配された部分を切り出し、その切り出したサンプルの質量を、その切り出したサンプルの例えば肌対向面側の面の面積で除して求める。また、中央コア領域ＣＴにおける非肌側縦溝部５が配された部分を除く部分の坪量は、吸収性コア４１の中央コア領域ＣＴから、非肌側縦溝部５が配された部分の坪量５ｗを測定するために切り出したサンプルを除いたサンプルの質量を、そのサンプルの例えば肌対向面側の面の面積で除して求める。尚、各サンプルの質量は、電子天秤(Ａ＆Ｄ社製電子天秤ＧＲ−３００、精度：小数点以下４桁)を用いて測定する。
【００３３】
ナプキン１では、吸収性コア４１の非肌側縦溝部５は、その深さが、側方コア領域ＳＴの厚みよりも大きく形成されていることが好ましく、図３に示すように、吸収性コア４１の非肌側縦溝部５は、その深さが、側方コア領域ＳＴの厚みよりも大きく、その頂部５ｔが、中高部４３の内部にまで至っていることが、排泄スポット部Ｐにおける着用者の液排泄部との密着性において好ましい。さらに好適には、ナプキン１では、非肌側縦溝部５が、吸収性コア４１の非肌対向面から肌対向面側に向かって、側方コア領域ＳＴの肌対向面ＳＴ１の位置を越えて、凸に窪んで形成されていることで、着用者の液排泄部との密着性がより高まる。図３に示すように、中高部４３を含む中央コア領域ＣＴにおける全厚ｔ１に対する非肌側縦溝部５の深さｄの割合（（ｄ/ｔ１）×１００）は、好ましくは５％以上、より好ましくは１０％以上であり、また、好ましくは９０％以下、より好ましくは８０％以下であり、具体的には、好ましくは５％以上９０％以下であり、より好ましくは１０％以上８０％以下である。非肌側縦溝部５の深さｄは、２．０ｍｍ以上であることが好ましく、３．０ｍｍ以上であることが更に好ましく、そして、２０．０ｍｍ以下であることが好ましく、１５．０ｍｍ以下であることが更に好ましく、具体的には、２．０ｍｍ以上２０．０ｍｍ以下であることが好ましく、３．０ｍｍ以上１５．０ｍｍ以下であることが更に好ましい。
【００３４】
また、ナプキン１では、吸収性コア４１の非肌側縦溝部５は、図３に示すように断面視した際の横方向Ｙの長さに関し、吸収性コア４１の中央コア領域ＣＴの非肌対向面側の長さＷ５ｄが、中央コア領域ＣＴの肌対向面側の長さＷ５ｕよりも長く形成されている。非肌側縦溝部５の非肌対向面側の長さＷ５ｄが非肌側縦溝部５の肌対向面側の長さＷ５ｕよりも長く形成されている場合、非肌側縦溝部５の横方向Ｙの長さ（幅）が、吸収性コア４１における非肌側縦溝部５の頂部５ｔ側から非肌側縦溝部５の非肌対向面側に向かって、段階的に長くなっていてもよく、漸次長くなっていてもよいが、ナプキン１では、漸次長くなっている。
【００３５】
ナプキン１では、吸収性コア４１の全幅Ｗ４１（図２参照）に対する非肌側縦溝部５の非肌対向面側の長さＷ５ｄ（図３参照）の割合（（Ｗ５ｄ/Ｗ４１）×１００）が、好ましくは１％以上、より好ましくは２％以上であり、また、好ましくは３０％以下、より好ましくは２０％以下であり、具体的には、好ましくは１％以上３０％以下であり、より好ましくは２％以上２０％以下である。非肌側縦溝部５の非肌対向面側の長さＷ５ｄは、０．５ｍｍ以上であることが好ましく、１．０ｍｍ以上であることが更に好ましい。非肌対向面側の長さＷ５ｄが、上記範囲より小さいと、吸収性コア４１が小さな曲率で曲がることが可能となり、肌対向面側に向って凸部を形成し難くなるため、柔軟で良好なフィット感が得られ難くなる。そして、２０ｍｍ以下であることが好ましく、１５ｍｍ以下であることが更に好ましい。非肌対向面側の長さＷ５ｄが、上記範囲より大きいと、吸収性コア４１が、いびつに変形し易くなり、良好なフィット感や漏れ防止効果が得られにくくなる。具体的には、０．５ｍｍ以上２０ｍｍ以下であることが好ましく、１．０ｍｍ以上１５ｍｍ以下であることが更に好ましい。
【００３６】
ナプキン１では、吸収性コア４１は、図１及び図２に示すように、肌対向面側に、幅方向において、中高部４３を挟む位置において縦方向Ｘに延びる一対の肌側縦溝部６２，６２を有している。好適に、ナプキン１は、吸収性本体１０の肌対向面（表面シート２の肌対向面）に、排泄スポットＰを挟む位置において、表面シート２及び吸収体４が裏面シート３側に向かって一体的に凹陥されてなる線状の圧搾溝６を備えている。線状の圧搾溝６における「線状」とは、溝（凹陥部）の形状が平面視において直線に限られず、曲線を含んでいることを意味する。尚、各線は、連続線でも破線等のような不連続線でもよい。例えば、圧搾溝６は、不連続な多数の点エンボスのなす列から構成されていてもよい。圧搾溝６は、吸収性本体１０の肌対向面側から加圧又は加熱及び加圧を伴うエンボス加工を施すことにより形成することができる。また、圧搾溝６は、その構成繊維が熱融着した状態となっていてもよい。圧搾溝６は、その密度が、圧搾溝６を除く他の部位の密度よりも高くなっている。従って、圧搾溝６は、吸収性コア４１に形成されている非肌側縦溝部５とは異なる溝である。
【００３７】
ナプキン１では、図１に示すように平面視して、圧搾溝６は、前方部Ａ及び後方部Ｃに、それぞれ横方向Ｙに延びる横圧搾溝６１と、縦方向Ｘに沿う両側部それぞれに前方部Ａから後方部Ｃに亘って縦方向Ｘに延びる縦圧搾溝とを有している。該縦圧搾溝が、ナプキン１では肌側縦溝部６２となっている。縦圧搾溝である肌側縦溝部６２は、ナプキン１では、縦中心線ＣＬに対して左右対称形に一対の形態で配されている。ナプキン１では、一対の肌側縦溝部６２は、両側方コア領域ＳＴ，ＳＴそれぞれの肌対向面ＳＴ１に配されて、中高部４３を挟む位置に形成されているが、中高部４３を挟む位置に形成されていれば、例えば、中高部４３の縦方向Ｘに沿う中高部４３の両側部上に形成されていてもよく、中央コア領域ＣＴの縦方向Ｘに沿う中央コア領域ＣＴの両側部上に形成されていてもよい。各肌側縦溝部６２は、前方部Ａから後方部Ｃに亘って縦方向Ｘに延びており、排泄部対向部Ｂにおいて横方向Ｙ外方に向けて凸の曲線状を形成しながら縦方向Ｘに延びている。また、ナプキン１では、前方部Ａ及び後方部Ｃの横圧搾溝６１は、縦方向Ｘ外方に向けて凸の曲線状を形成しながら横方向Ｙに延びている。ナプキン１では、前方部Ａの横圧搾溝６１、一方の肌側縦溝部６２、後方部Ｃの横圧搾溝６１、及び他方の肌側縦溝部６２が繋がってリング状の全周溝を形成している。このように形成された圧搾溝６は、表面シート２上を平面方向に流れる体液の拡散を抑制して、ナプキン１の周囲から液漏れを効果的に防止することができる。
【００３８】
非肌側縦溝部５の縦方向Ｘの全長Ｌ５は、肌側縦溝部６２の縦方向Ｘの全長Ｌ６よりも長く形成されていることが好ましく、ナプキン１では、図１に示すように平面視して、非肌側縦溝部５が吸収性コア４１の縦方向Ｘの全長に亘って延びて配されており、非肌側縦溝部５の縦方向Ｘの全長Ｌ５が、肌側縦溝部６２の縦方向Ｘの全長Ｌ６よりも長く形成されている。
【００３９】
吸収性コア４１は、中高部４３を有する中央コア領域ＣＴと各側方コア領域ＳＴとが一体に形成されている。ここで、「一体に成形されている」とは、別の工程で製造した部材どうしを接着剤や圧縮などの接合手段で結合したものとは異なり、同一の材料を用いて、一つの工程で一体的に形成されていることを意味する。したがって、中央コア領域ＣＴと両側方コア領域ＳＴ，ＳＴとの境界部に、別に製造した２つの吸収性コアを並べて配置した場合に生じるコアどうしの隣接部や結合部が存在しない。また、ナプキン１では、吸収性コア４１全体が一体成形されているので、中央コア領域ＣＴに配された中高部４３を形成する部分とそれよりも非肌対向面側に近い部分との間には、同様に、層どうしの隣接部や結合部が存在しない。吸収性コア４１が、非肌側縦溝部５を起点に中高部４３に対応する隆起部１１が、身体形状に沿って凸状に変形した際でも、吸収性コア４１の一部が壊れたり、剥がれることがなく、排泄スポット部Ｐや着用者の液排泄部の前後方向においても、全体として着用者にフィットするように変形することが可能となり、着用者の肌との間に隙間が生じ難くなる。更に、中高部４３から吸収した液が、吸収性コア４１の厚み方向にスムーズに拡散し、液が多量に供給された場合等においても、肌当接面に液が残りにくく、優れたドライ感や快適な着用感が得られる。このような構造の吸収性コアの製造方法については後で説明する。
【００４０】
上述したナプキン１の吸収性コア４１は、図４（ａ）に示すように、外周面に集積用凹部１４１を備え、一方向Ｒに回転する積繊ドラム１４０と、該積繊ドラム１４０の外周面に、コア材料を飛散状態で供給するダクト（図示せず）を備えた積繊装置を用いて製造することができる。
集積用凹部１４１は、積繊ドラム１４０の外周面の周方向に一定の間隔で複数個形成されている。集積用凹部１４１の底面１４２は、メッシュプレート等からなり、吸引孔として機能する多数の細孔を有している。
【００４１】
また、図４（ａ）に示すように、集積用凹部１４１の底面１４２の一部には、中高部４３を形成するための凹部１４３が形成されている。また、吸収性コア４１に非肌側縦溝部５を形成するための溝部形成部材１４５が着脱可能に配置されている。溝部形成部材１４５は、非肌側縦溝部５に対応する位置に、集積用凹部１４１の上部に着脱可能に配置されており、例えば金属やプラスチック、セラミック等からなる。
【００４２】
例えば、積繊ドラムを備えた公知の積繊装置に着脱可能な溝部形成部材１４５を配置し、集積用凹部１４１の底面から吸引しつつ、ダクト内に、パルプ繊維等のコア材料を供給することによって、図４（ｂ）に示すように、コア材料が集積用凹部１４１内に所定形状に堆積する。着脱可能な溝部形成部材１４５を取り外し、その堆積物４００を、集積用凹部１４１から離型することで、吸収性コア４１が得られる。吸収性コア４１は、コアラップシート４２で被覆する前又は被覆した後、一対のロール間に通すこと等により加圧し適度に圧縮させる。これにより、坪量及び密度が相対的に小さい非肌側縦溝部５となり、各凹部１４３底面上に堆積した部分が、坪量及び密度が相対的に大きい中高部４３を有する部分となる。同様に、凹部１４３以外の部分においては、底面上に堆積した部分が、中高部４３を有する部分よりは坪量及び密度が相対的に小さい周辺領域となる。吸収性コア４１のコア材料に高吸収性ポリマーを用いる場合には、ダクトの途中に吸収性ポリマーの導入部を設けて繊維集合体に含有させる。
【００４３】
上述した本実施形態のナプキン１の各構成部材の形成材料について説明する。
表面シート２、裏面シート３としては、生理用ナプキン等の吸収性物品に従来使用されている各種のもの等を特に制限なく用いることができる。例えば、表面シート２としては、単層又は多層構造の不織布や、開孔フィルム等を用いることができる。また、裏面シート３としては、透湿性の樹脂フィルム等を用いることができる。また、防漏カフ形成用シートとしては、耐水圧が高い撥水性の不織布、例えば、スパンボンド不織布、スパンボンド−メルトブローン−スパンボンド積層不織布等を用いることができる。
【００４４】
ナプキン１では、表面シート２と吸収体４との間、及び吸収体４と裏面シート３との間は、接着剤を塗布して固定されていることが好ましい。接着剤は、公知の手段、例えば、スロットコートガン、スパイラルスプレーガン、スプレーガン、或いはドットガンを用いて塗布することができ、ナプキン１では、スパイラルスプレーガンを用いてスパイラル状に塗布することが好ましい。塗布する接着剤としては、例えば、ホットメルト接着剤が好ましく用いられる。ホットメルト接着剤の塗布量は、１．５ｇ／ｍ2以上１０ｇ／ｍ2以下であることが好ましい。
【００４５】
上述したナプキン１の作用効果と推定メカニズムについて説明する。
ナプキン１の着用者が、就寝時に身体を横向きにして脚をクロスさせた姿勢をとる等着用者の股間幅が狭くなる姿勢をとれば、ナプキン１の有する吸収体４が着用者の両脚で横方向Ｙに押されるようになる。ここで、ナプキン１は、吸収性コア４１の中央コア領域ＣＴにおける肌対向面側に突出する中高部４３を有しており、中央コア領域ＣＴの非肌対向面側において、縦中心線ＣＬと重なる位置に縦方向Ｘに延びる、その横方向隣接部に比して相対的に形成材料の坪量の小さい非肌側縦溝部５を有している。ナプキン１では、非肌側縦溝部５は、吸収性コア４１の縦方向Ｘの長さが、中高部４３の縦方向Ｘの長さよりも長く形成されていることが好ましく、これにより、排泄スポット部Ｐの縦方向Ｘの長さよりも長くなり、その為、図５に示すように、排泄スポット部Ｐの全域において、非肌側縦溝部５を起点に中高部４３に対応する隆起部１１が突出し易く、更に、排泄スポット部Ｐだけではなく、その前後においてもナプキン１と着用者の肌との間に隙間が生じ難く、フィット性が更に向上し、体液が肌を伝って流れ難く、防漏性が向上する。
【００４６】
また、ナプキン１の非肌側縦溝部５は、図３に示すように断面視して、非肌対向面側の長さＷ５ｄが肌対向面側の長さＷ５ｕよりも長く形成されているので、非肌側縦溝部５を起点に中高部４３に対応する隆起部１１が更に突出し易く、フィット性が更に向上し、防漏性が更に向上する。
【００４７】
また、ナプキン１では、図３に示すように、吸収性コア４１の非肌側縦溝部５は、その深さが、側方コア領域ＳＴの厚みよりも大きく形成されていることが、排泄スポット部Ｐにおける着用者の液排泄部との密着性の向上の点より好ましい。更にナプキン１では、非肌側縦溝部５が、吸収性コア４１の非肌対向面から肌対向面側に向かって、その頂部５ｔが、側方コア領域ＳＴの肌対向面ＳＴ１の位置を越えて、中高部４３の内部にまで至っており、その深さｄが側方コア領域ＳＴの厚みよりも大きいことが好ましい。その為、図５に示すように、非肌側縦溝部５を起点に中高部４３に対応する隆起部１１が、液排泄部側に更に突出し易く、排泄スポット部Ｐにおける液排泄部との密着性においてフィット性が更に向上し、防漏性が更に向上する。
【００４８】
更に、ナプキン１では、このように形成された非肌側縦溝部５が、図１に示すように平面視して、吸収性コア４１の縦方向Ｘの全長に亘って一本のみ配されていることより排泄スポット部Ｐおよび、排泄スポット部Ｐの着用者の液排出部の前後側においても、非肌側縦溝部５を起点に中高部４３に対応する隆起部１１が突出し、肌との密着性が向上し、体液が肌を伝って流れ難く、防漏性がより一層向上する。
【００４９】
また、ナプキン１では、吸収性コア４１が、図１及び図２に示すように、肌対向面側に、中高部４３を挟む位置において縦方向Ｘに延びる一対の肌側縦溝部６２，６２を有している。その為、ナプキン１の着用中に吸収体４が両脚で横方向Ｙに押されるようになると、一対の肌側縦溝部６２，６２を起点に、各肌側縦溝部６２，６２よりも横方向Ｙ外方部分が横方向Ｙ内方に押されると共に、非肌側縦溝部５を起点に中高部４３に対応する隆起部１１が着用者の肌側に更に突出し易く、更に、肌側溝を介して、ナプキンの両側部が着用者の肌側へ屈曲し、図５に示すようにナプキン１を断面視して、中央部が凸状に変形したＷ字状を描くように変形し易くなる。このようにナプキン１がＷ字状を描くように変形すると、ナプキン１と着用者の肌との間に隙間が生じ難く、フィット性が更に向上し、体液が肌を伝って流れ難く、防漏性が更に向上する。
【００５０】
また、ナプキン１では、図１に示すように平面視して、非肌側縦溝部５が吸収性コア４１の縦方向Ｘの全長に亘って延びて配されており、非肌側縦溝部５の縦方向Ｘの全長Ｌ５が、肌側縦溝部６２の縦方向Ｘの全長Ｌ６よりも長く形成されている。その為、ナプキン１の着用中に吸収体４が両脚で横方向Ｙに押されるようになると、ナプキン１がＷ字状を描くように更に変形し易く、フィット性が更に向上し、防漏性が更に向上する。
【００５１】
吸収性コア４１は、中高部４３する中央コア領域ＣＴと両側方コア領域ＳＴ，ＳＴとが一体に形成されている。これにより、ナプキン１の着用中に吸収体４が着用者の両脚で横方向Ｙに押されるようになると、ナプキン１が、着用者の肌側に凸状に隆起するとともに、肌側溝を可撓軸として、ナプキン１の両側部が着用者の肌対向面側へ屈曲して全体としてほぼＷ字状を描くように更に変形し易く、フィット性が更に向上し、横漏れ等の防漏性が更に向上する。
【００５２】
以上、本発明をその好ましい実施形態に基づき説明したが、本発明の吸収性物品は前記実施形態のナプキン１に何ら制限されるものではなく、適宜変更可能である。
例えば、ナプキン１では、図３に示すように、吸収性コア４１の備える非肌側縦溝部５を断面視して、非肌側縦溝部５の非肌対向面側の長さＷ５ｄが非肌側縦溝部５の肌対向面側の長さＷ５ｕよりも長く、非肌側縦溝部５の頂部５ｔ側から非肌側縦溝部５の非肌対向面側に向かって漸次長くなっているが、例えば図６に示すように、非肌側縦溝部５の非肌対向面側の長さＷ５ｄと非肌側縦溝部５の肌対向面側の長さＷ５ｕとが同じ長さであり、非肌側縦溝部５の頂部５ｔ側から非肌側縦溝部５の非肌対向面側に向かって同じ溝幅で形成されていてもよい。図６に示す吸収体４については、前述したナプキン１と異なる構成部分を主として説明し、同様の構成部分は同一の符号を付して説明を省略する。特に説明しない構成部分は、図３に示す吸収体４についての説明が適宜適用される。
【００５３】
また、ナプキン１では、図３に示すように、吸収性コア４１の非肌側縦溝部５が、吸収性コア４１の非肌対向面から肌対向面側に向かって、側方コア領域ＳＴの肌対向面ＳＴ１の位置を越えて、その頂部５ｔが中高部４３の内部にまで至るまで凸に窪んで形成されているが、その頂部５ｔが中高部４３の内部にまで至っていなくてもよく、吸収性コア４１の非肌対向面から肌対向面側に向かって凸に窪んで形成されていればよい。
【００５４】
また、本発明の吸収性物品は、生理用ナプキンの他、パンティーライナー（おりものシート）等であってもよい。
【実施例】
【００５５】
以下、本発明の吸収性物品を実施例により更に詳細に説明する。しかしながら本発明の範囲はかかる実施例によって何ら制限されるものではない。
【００５６】
＜実施例１＞
図３に示す吸収性コア４１及びコアラップシート４２を備える吸収体４を有する図１及び図２に示す生理用ナプキン１と同様の基本構成を有する生理用ナプキンを作製し、これを実施例１のサンプルとした。表面シートとしては、坪量２５ｇ／ｍ2のスパンボンド不織布を用いた。裏面シートとしては、坪量３５ｇ／ｍ2の透湿性の樹脂フィルムを用いた。防漏カフ形成用シートとしては、坪量２５ｇ／ｍ2のスパンボンド不織布を用いた。吸収体としては、吸収性コアは、パルプ繊維と吸水性ポリマーの混合積繊体として形成した。吸収性コアの平均坪量は、３００g/m2であり、吸収性コアにおける高吸収性ポリマー（ＳＡＰ）の含有量は６.５質量％であり、高吸収性ポリマーとして、日本触媒社製のアクアリックＣＡを用いた。また、実施例１のサンプルには、図１及び図２に示すように、肌対向面に線状の圧搾溝６を形成した。吸収性コアの非肌側縦溝部は、吸収性コアの非肌対向面から肌対向面側に向かって、側方コア領域ＳＴの肌対向面ＳＴ１の位置を越えて、その頂部５ｔが中高部の内部にまで至るまで凸に窪むように形成した。そして、非肌側縦溝部は、非肌対向面側の長さＷ５ｄが肌対向面側の長さＷ５ｕよりも長く、頂部５ｔ側から非肌対向面側に向かって漸次長くなるように形成した。
【００５７】
実施例１のサンプルにおける吸収性コアの詳細は次の通りである。
吸収性コアの中央コア領域ＣＴにおける全厚ｔ１は、７．５ｍｍ、側方コア領域ＳＴの厚みｔ２は、４．３ｍｍ、中高部を含む中央コア領域ＣＴにおける全厚ｔ１に対する中高部の高さｔ４３の割合（（ｔ４３/ｔ１）×１００）は、４３％であった。
吸収性コアの全幅Ｗ４１は、８０ｍｍ、中高部の幅Ｗ４３は３０ｍｍ、全幅Ｗ４１に対する中高部の幅Ｗ４３の割合（（Ｗ４３/Ｗ４１）×１００）は、３８％であった。
吸収性コアの縦方向Ｘの全長Ｌ４１は３２４ｍｍ、長さＬ４３（図１参照）は、１３０ｍｍ、縦方向Ｘの全長Ｌ４１に対する中高部の縦方向Ｘの長さＬ４３（図１参照）の割合（（Ｌ４３/Ｌ４１）×１００）は、４０％であった。
非肌側縦溝部５が配された部分の坪量５ｗは２００ｇ/ｍ2、側方コア領域ＳＴの坪量ＳＴｗは、２３０ｇ／ｍ2、側方コア領域ＳＴの坪量ＳＴｗに対する非肌側縦溝部５が配された部分の坪量５ｗの割合（（５ｗ/ＳＴｗ）×１００）は、８７％であった。
中高部を含む中央コア領域ＣＴにおける全厚ｔ１に対する非肌側縦溝部の深さｄの割合（（ｄ/ｔ１）×１００）は、６７％であった。該深さは、５ｍｍであった。
吸収性コアの全幅Ｗ４１に対する非肌側縦溝部の非肌対向面側の長さＷ５ｄの割合（（Ｗ５ｄ/Ｗ４１）×１００）は、１３％であった。該長さは、１０ｍｍであった。
【００５８】
＜実施例２＞
図３に示す吸収体４に替えて、図６に示す吸収体４を用いること以外は、実施例１で作成したサンプルと同様の基本構成を有する生理用ナプキンを作製し、これを実施例２のサンプルとした。図６に示す吸収体４では、非肌側縦溝部の非肌対向面側の長さＷ５ｄと肌対向面側の長さＷ５ｕとが同じ長さであり、非肌側縦溝部の頂部５ｔ側から非肌対向面側に向かって同じ溝幅で形成されていた。
具体的には、吸収性コアの全幅Ｗ４１に対する非肌側縦溝部の非肌対向面側の長さＷ５ｄ（肌対向面側の長さＷ５ｕ）の割合（（Ｗ５ｄ/Ｗ４１）×１００）は、２．５％であった。該長さＷ５ｄ及び該長さＷ５ｕは、２ｍｍであった。
【００５９】
＜比較例１＞
図３に示す吸収体４に替えて、図７に示す吸収体４Ｃを用いること以外は、実施例１で作成したサンプルと同様の基本構成を有する生理用ナプキンを作製し、これを比較例１のサンプルとした。図７に示す吸収体４Ｃについては、図３に示す吸収体４と異なる構成部分を主として説明し、同様の構成部分は同一の符号を付して説明を省略する。特に説明しない構成部分は、図３に示す吸収体４についての説明が適宜適用される。図７に示す吸収体４Ｃは、吸収性コア４１における中央コア領域ＣＴの肌対向面側に、縦中心線ＣＬと重なる位置に配され、且つ縦方向Ｘに沿って延びる縦溝部５Ｃを有していた。縦溝部５Ｃは、吸収性コア４１の肌対向面から非肌対向面側に向かって窪んで形成されていた。図７に示す吸収体４Ｃでは、縦溝部５Ｃが吸収性コア４１の肌対向面から非肌対向面側に向かって同じ溝幅で形成されていた。
具体的には、吸収性コアの全幅Ｗ４１に対する縦溝部５Ｃの溝幅Ｗ５Ｃの割合（（Ｗ５Ｃ/Ｗ４１）×１００）は、２．５％であった。該溝幅Ｗ５Ｃは、２ｍｍであった。
【００６０】
〔評価〕
実施例１〜２のサンプル（生理用ナプキン）及び比較例１のサンプル（生理用ナプキン）について、縦方向および横方向の拡散距離、及び変形の状態を、それぞれ下記方法により測定した。それらの結果を下記表１に示す。
【００６１】
＜縦方向および横方向の体液拡散距離の測定方法＞
排泄点から液を注入できる駆動式の成人女性人体モデルを用い、該モデルを直立させた状態で評価対象のサンプルを装着させた後、該モデルを仰向けにした。次いで、該モデルの股間部を６０ｍｍから２０ｍｍへと圧縮し、さらに２０ｍｍか６０ｍｍへと解放するという一連の動作を１０回繰り返した後、速度調整機能付き液体排出ポンプを用いて、排泄点より擬似血液を３分ごとに３．０ｇ、合計１２ｇ注入した。該モデルからサンプルを取り外し、擬似血液の注入によってサンプルに生じた吸収性コアにおける排泄点からの縦方向および横方向の拡散距離を測定した。
【００６２】
＜変形状態の評価方法＞
上記縦方向および横方向の体液拡散距離の測定方法において、疑似血液の注入後の上記成人女性人体モデルから、実施例１〜２、比較例１のサンプルを取り外した際の該サンプルの幅方向の断面変形状態を観察した。
図１のＩＩ−ＩＩ線断面において
Ａ：サンプルの幅方向中央部が凸状に変形（サンプルがＷ字状に変形）
Ｂ：サンプルの幅方向中央部が凹状に変形
【００６３】
【表１】
2018023475.tif 000003
【００６４】
表１に示すように、実施例１〜２の生理用ナプキンは、比較例１の生理用ナプキンに比べ、安定的に吸収体がＷ字状に変形することがわかった。また、表１に示すように、実施例１〜２の生理用ナプキンは、比較例１の生理用ナプキンに比べ、縦方向の体液拡散距離が短く、液が肌を伝わり広がってしまう、いわゆる液とびが発生していないことがわかった。これらのことから、実施例１〜２の生理用ナプキンは、比較例１の生理用ナプキンに比べ、非肌側縦溝部を起点に中高部に対応する隆起部が凸状に隆起するとともに、肌側溝を可撓軸として、ナプキンの両側部が着用者の肌側へ屈曲、全体としてほぼＷ字状を描くように変形し易く、着用者の肌との間に隙間が生じ難く、フィット性が向上し、横漏れや肌を伝っての漏れ等に対する防漏性が向上することが期待できる。
【符号の説明】
【００６５】
１  生理用ナプキン（吸収性物品）
１０  吸収性本体
２  表面シート
３  裏面シート
４  吸収体
４１  吸収性コア
４２  コアラップシート
４３  中高部
５  非肌側縦溝部
５ｔ  非肌側縦溝部の頂部
６  圧搾溝
６１  横圧搾溝
６２  肌側縦溝部（縦圧搾溝）
７  防漏カフ形成用シート
Ａ  前方部
Ｂ  排泄部対向部
Ｃ  後方部
【図１】
2018023475.tif 000004
【図２】
2018023475.tif 000005
【図３】
2018023475.tif 000006
【図４】
2018023475.tif 000007
【図５】
2018023475.tif 000008
【図６】
2018023475.tif 000009
【図７】
2018023475.tif 000010